(57)【要約】【課題】細隙灯の光源の点灯、消灯の操作を簡便に行うことができ、観察者の操作負担を軽減することができる細隙灯顕微鏡を提供する。【解決手段】細隙灯１１０と、双眼実体顕微鏡１１２と、眼科患者の顔を固定するための顔固定台２００と、を備えた細隙灯顕微鏡１００である。顔固定台２００は、顎台２０２と、額当て２０４と、２本の支柱２０８，２１０と、投光部および受光部を有する反射型光学センサ２１６と、を備え、反射型光学センサ２１６は、第１の支柱２０８における顎台２０２の固定位置と額当て２０４の固定位置との間の位置に固定され、かつ、反射型光学センサ２１６の投光部および受光部が第２の支柱２１０と対向するように配置されており、顔固定台２００の反射型光学センサ２１６と細隙灯１１０の光源に接続された電源とが、常開接点を有するリレーを経由して接続されている。【選択図】図１
0003204241.tif 000002
【実用新案登録請求の範囲】
【請求項１】
眼科患者の被検眼にスリット光を照射する細隙灯と、前記被検眼からの反射光を観察する双眼実体顕微鏡と、前記眼科患者の顔を固定するための顔固定台と、を備えた細隙灯顕微鏡であって、
前記細隙灯は、光源と、前記光源に接続された電源と、前記光源から照射された光線をスリット光に変換するスリットが配置されたスリット部と、を有し、
前記顔固定台は、前記眼科患者の顎を載せる顎台と、前記眼科患者の額を当てる額当てと、前記顎台を固定する２本の支柱と、投光部および受光部を有する反射型光学センサと、を備え、
前記２本の支柱は、鉛直方向に延び、前記顎台の左右両側に配置され、
前記顎台は、水平方向に延び、前記２本の支柱の間を繋ぐように前記２本の支柱に対して固定され、
前記額当ては、前方に向かって凸となる湾曲形状に構成され、前記２本の支柱における前記顎台の固定位置より上部に、前記２本の支柱の間を繋ぐように固定され、
前記反射型光学センサは、前記２本の支柱のうち第１の支柱における前記顎台の固定位置と前記額当ての固定位置との間の位置に固定され、かつ、前記反射型光学センサの前記投光部および前記受光部が前記２本の支柱のうち第２の支柱と対向するように配置されており、
前記顔固定台の前記反射型光学センサと前記細隙灯の前記光源に接続された電源とが、常開接点を有するリレーを経由して接続されていることを特徴とする細隙灯顕微鏡。
【請求項２】
前記反射型光学センサに常閉接点を有するリレーが接続されている請求項１に記載の細隙灯顕微鏡。
【請求項３】
前記反射型光学センサに代えて、投光部を有する投光器と受光部を有する受光器とから構成された透過型光学センサを備え、
前記透過型光学センサの前記投光器は、前記２本の支柱のうち第１の支柱における前記顎台の固定位置と前記額当ての固定位置との間の位置に固定され、かつ、前記投光器の前記投光部が前記２本の支柱のうち第２の支柱と対向するように配置されており、
前記透過型光学センサの前記受光器は、前記２本の支柱のうち第２の支柱における前記顎台の固定位置と前記額当ての固定位置との間の位置に固定され、かつ、前記受光器の前記受光部が前記投光器の前記投光部と対向するように配置されており、
前記顔固定台の前記透過型光学センサと前記細隙灯の前記光源に接続された電源とが、常開接点を有するリレーを経由して接続されている請求項１または２に記載の細隙灯顕微鏡。
【考案の詳細な説明】
【技術分野】
【０００１】
本考案は、眼科患者の眼球（被検眼）にスリット光を照射し、被検眼からの反射光を顕微鏡で観察する細隙灯顕微鏡に関する。
【背景技術】
【０００２】
細隙灯顕微鏡（スリットランプとも称される）は眼科患者の眼球（被検眼）にスリット光を照射する細隙灯と被検眼からの反射光を観察する双眼実体顕微鏡とを備えた装置である。細隙灯顕微鏡によれば、細隙灯から照射された幅の狭いスリット光が被検眼の内部にまで到達し、スリット光が照射された部分を光学切片として切り取り、その光学切片を双眼実体顕微鏡で拡大して観察することができる。従って、観察者（例えば、眼科医）が肉眼で被検眼を観察しただけではわからない被検眼の内部の状態を、より詳細に観察することができる。細隙灯顕微鏡によれば、球結膜、瞼結膜、強膜などの外眼部のみならず、角膜、前房、隅角、水晶体、硝子体、網膜、視神経乳頭などの内眼部も観察することができる。
【０００３】
細隙灯顕微鏡は細隙灯と双眼実体顕微鏡に加えて、検査の際に眼科患者の顔を固定するための器具を更に備えていることが一般的である。例えば、眼科患者の顎を載せる顎台と、眼科患者の額を当てる額当てと、を有する顔固定用の器具（顔支持ユニット）を備えた細隙灯顕微鏡が知られている（特許文献１および２参照）。
【先行技術文献】
【特許文献】
【０００４】
【特許文献１】特許第５７０１６７２号
【特許文献２】特開２０１６−１６１２３号公報
【考案の概要】
【考案が解決しようとする課題】
【０００５】
前記のような顔固定用の器具を備えた細隙灯顕微鏡においては、眼科患者の顎を顎台に載せ、眼科患者の額を額当てに当て、眼科患者の顔を固定した後に検査を行う。そして、検査の開始時には、細隙灯の光源に接続された電源のスイッチをオンとし、細隙灯の光源を点灯させ、検査の終了時には、細隙灯の光源に接続された電源のスイッチをオフとし、細隙灯の光源を消灯させる操作が行われる。
【０００６】
しかし、前記のような操作方法は、眼科患者が入れ替わる度に、観察者が細隙灯の光源に接続された電源のスイッチ操作を繰り返す必要があり、観察者に煩瑣な操作を強いるものとなっていた。特に大病院においては１日で２００人程度の眼科患者を検査することもあり、電源のスイッチのオンオフ操作が頻繁に行われるため、観察者の操作負担が大きかった。
【０００７】
本考案は、前記の課題を解決するためになされたものであり、細隙灯の光源の点灯、消灯の操作を簡便に行うことができ、観察者の操作負担を軽減することができる細隙灯顕微鏡を提供するものである。
【課題を解決するための手段】
【０００８】
本考案によれば、以下の細隙灯顕微鏡が提供される。
【０００９】
［１］眼科患者の被検眼にスリット光を照射する細隙灯と、前記被検眼からの反射光を観察する双眼実体顕微鏡と、前記眼科患者の顔を固定するための顔固定台と、を備えた細隙灯顕微鏡であって、前記細隙灯は、光源と、前記光源に接続された電源と、前記光源から照射された光線をスリット光に変換するスリットが配置されたスリット部と、を有し、前記顔固定台は、前記眼科患者の顎を載せる顎台と、前記眼科患者の額を当てる額当てと、前記顎台を固定する２本の支柱と、投光部および受光部を有する反射型光学センサと、を備え、前記２本の支柱は、鉛直方向に延び、前記顎台の左右両側に配置され、前記顎台は、水平方向に延び、前記２本の支柱の間を繋ぐように前記２本の支柱に対して固定され、前記額当ては、前方に向かって凸となる湾曲形状に構成され、前記２本の支柱における前記顎台の固定位置より上部に、前記２本の支柱の間を繋ぐように固定され、前記反射型光学センサは、前記２本の支柱のうち第１の支柱における前記顎台の固定位置と前記額当ての固定位置との間の位置に固定され、かつ、前記反射型光学センサの前記投光部および前記受光部が前記２本の支柱のうち第２の支柱と対向するように配置されており、前記顔固定台の前記反射型光学センサと前記細隙灯の前記光源に接続された電源とが、常開接点を有するリレーを経由して接続されていることを特徴とする細隙灯顕微鏡。
【００１０】
［２］前記反射型光学センサに常閉接点を有するリレーが接続されている前記［１］に記載の細隙灯顕微鏡。
【００１１】
［３］前記反射型光学センサに代えて、投光部を有する投光器と受光部を有する受光器とから構成された透過型光学センサを備え、前記透過型光学センサの前記投光器は、前記２本の支柱のうち第１の支柱における前記顎台の固定位置と前記額当ての固定位置との間の位置に固定され、かつ、前記投光器の前記投光部が前記２本の支柱のうち第２の支柱と対向するように配置されており、前記透過型光学センサの前記受光器は、前記２本の支柱のうち第２の支柱における前記顎台の固定位置と前記額当ての固定位置との間の位置に固定され、かつ、前記受光器の前記受光部が前記投光器の前記投光部と対向するように配置されており、前記顔固定台の前記透過型光学センサと前記細隙灯の前記光源に接続された電源とが、常開接点を有するリレーを経由して接続されている前記［１］または［２］に記載の細隙灯顕微鏡。
【考案の効果】
【００１２】
本考案の細隙灯顕微鏡は、細隙灯の光源の点灯、消灯の操作を簡便に行うことができ、観察者の操作負担を軽減することができる。
【図面の簡単な説明】
【００１３】
【図１】本考案の細隙灯顕微鏡の一の実施形態を模式的に示す斜視図である。
【図２】本考案の細隙灯顕微鏡の一部を構成する顔固定台の一の形態を模式的に示す斜視図である。
【図３】図２に示す顔固定台の一部を拡大して模式的に示す一部拡大斜視図である。
【図４】本考案の細隙灯顕微鏡の回路構成の例を示す回路図である。
【図５】従来の細隙灯顕微鏡の使用状態を模式的に示す斜視図である。
【図６】本考案の細隙灯顕微鏡のブロック図である。
【考案を実施するための形態】
【００１４】
以下、本考案を実施するための形態について図面を参照しながら具体的に説明する。但し、本考案は以下に示す形態のみに限定されるものではない。
【００１５】
図１に示すように、細隙灯顕微鏡１００は、眼科患者の被検眼にスリット光を照射する細隙灯１１０と、被検眼からの反射光を観察する双眼実体顕微鏡１１２と、眼科患者の顔を固定するための顔固定台２００と、を備えている。
【００１６】
まず、本考案に係る細隙灯顕微鏡の特徴点である眼科患者の顔を感知するための光学センサを設置した顔固定台の構造と、光学センサと細隙灯の光源に接続された電源との接続構造について説明する。
【００１７】
［１］顔固定台の構造：
顔固定台の構造について、図１乃至図３に示す顔固定台２００を例に説明する。顔固定台２００は、眼科患者の顎を載せる顎台２０２と、眼科患者の額を当てる額当て２０４と、顎台２０２を固定する２本の支柱２０８，２１０と、投光部２１２および受光部２１４を有する反射型光学センサ２１６と、を備えている。
【００１８】
２本の支柱２０８，２１０は鉛直方向に延びている。支柱２０８，２１０は略円筒状に構成され、その下端は台座２１８に対して固定されている。顔固定台２００においては、支柱２０８，２１０の上端から延長された部分同士が相互に連結されて、逆Ｕ字型の枠状部材が構成されている。この枠状部材のうち、鉛直方向に延びる部分が支柱２０８，２１０として機能する。但し、本考案においては、このような構成は必須ではなく、鉛直方向に延びる２本の支柱を有していればよい。２本の支柱２０８，２１０は、顎台２０２の左右両側に配置されている。このような構成により、顎台２０２を左右両側から固定することができる。
【００１９】
顎台２０２には眼科患者の顎を載せるための凹部が形成されている。顎台２０２は板状に構成され、その長手方向の中央部に眼科患者の顎を載せるための凹部（凹曲面）が形成されている。顎台２０２は水平方向に延び、２本の支柱２０８，２１０の間を繋ぐように２本の支柱２０８，２１０に対して固定されている。より具体的には、顎台２０２は左右の両側縁部において２本の支柱２０８，２１０に対して固定されている。なお、顎台２０２においては２本の支柱２０８，２１０の間を繋ぐ板状体自体に、眼科患者の顎を載せるための凹部（凹曲面）が形成されているが、本考案においてこのような構成は必須ではない。例えば２本の支柱の間を繋ぐ第１の部材（板状体など）と、眼科患者の顎を載せるための凹部が形成された第２の部材とから形成され、前記第１の部材に前記第２の部材が固定されたものも、本考案に言う「顎台」に含まれる。
【００２０】
額当て２０４は前方（細隙灯や双眼実体顕微鏡と正対する方向）に向かって凸となる湾曲形状に構成されている。このような構成により、額当て２０４に眼科患者の額を当てる凹湾曲面が形成される。額当て２０４は湾曲形状に構成された帯状体である。但し、本考案においては、額当てが湾曲形状に構成された帯状体である必要はなく、湾曲形状に構成された板状体または棒状体（即ち、帯状体より厚みがあるもの）であってもよい。額当て２０４は、２本の支柱２０８，２１０における顎台２０２の固定位置より上部に、２本の支柱２０８，２１０の間を繋ぐように固定されている。より具体的には、額当て２０４は左右の両側縁部において２本の支柱２０８，２１０に対して固定されている。額当て２０４は顎台２０２に顎を載せた眼科患者の額の位置に対応する位置に固定される。
【００２１】
図３に示すように反射型光学センサ２１６は、投光部２１２および受光部２１４を有する。反射型光学センサ２１６によれば、投光部２１２から投光されたセンサ光を物体で反射させ、その反射光を受光部２１４で受光することにより前記物体を検出することができる。センサの種類は特に限定されず、例えば赤外線センサ、赤色光センサなどを用いることができる。
【００２２】
反射型光学センサ２１６は、２本の支柱２０８，２１０のうち第１の支柱２０８における顎台２０２の固定位置と額当て２０４の固定位置との間の位置に固定されている。眼科患者が顎台２０２に顎を載せる際には、２本の支柱２０８，２１０の間で、かつ、顎台２０２の固定位置と額当て２０４の固定位置との間に眼科患者の顔（額と顎の間の部分）が進入するため、反射型光学センサ２１６により眼科患者の顔を感知することができる。
【００２３】
反射型光学センサ２１６の投光部２１２および受光部２１４は２本の支柱２０８，２１０のうち第２の支柱２１０と対向するように配置されている。このような構成においては、通常時、センサ光は投光部２１２から第２の支柱２１０に向かって投光されている。このため、眼科患者が顎台２０２に顎を載せようと、第１の支柱２０８と第２の支柱２１０の間に顔を進入させると、投光部２１２から投光されたセンサ光が眼科患者の顔で反射し、その反射光が受光部２１４に受光される。受光部２１４が反射光を受光することによって反射型光学センサ２１６が眼科患者の顔を感知し、感知に伴って電気信号（直流電流）が出力される。
【００２４】
本考案に係る細隙灯顕微鏡の別の実施形態としては、前記反射型光学センサに代えて、投光部を有する投光器と受光部を有する受光器とから構成された透過型光学センサを備える形態を挙げることができる（図示せず）。透過型光学センサによれば、投光器の投光部から受光器の受光部に投光されるセンサ光が物体で遮られた際にその光量の変化によって前記物体を検出することができる。センサの種類は特に限定されず、例えば赤外線センサ、赤色光センサなどを用いることができる。
【００２５】
透過型光学センサを利用する形態においては、前記透過型光学センサの前記投光器は、前記２本の支柱のうち第１の支柱における前記顎台の固定位置と前記額当ての固定位置との間の位置に固定される。また、前記投光器の前記投光部が前記２本の支柱のうち第２の支柱と対向するように配置される。即ち、前記透過型光学センサの前記投光器については、前記反射型光学センサの固定位置および配置をそのまま採用することができる。
【００２６】
一方、前記透過型光学センサの前記受光器は、前記２本の支柱のうち第２の支柱における前記顎台の固定位置と前記額当ての固定位置との間の位置に固定される。また、前記受光器の前記受光部が前記投光器の前記投光部と対向するように配置される。このような構成により、第１の支柱に固定された投光器の投光部から投光されたセンサ光を、第２の支柱に固定された受光器の受光部において受光することが可能となる。
【００２７】
透過型光学センサを利用する形態においては、通常時、第１の支柱に固定された投光器の投光部から第２の支柱に固定された受光器の受光部に向かってセンサ光が投光されている。このため、眼科患者が顎台に顎を載せようと、第１の支柱と第２の支柱の間に顔を進入させると、投光器の投光部から投光されるセンサ光が眼科患者の顔で遮られ、受光器の受光部で受光する光量が変化する。この光量の変化によって透過型光学センサが眼科患者の顔を感知し、感知に伴って電気信号（直流電流）が出力される。
【００２８】
［２］顔固定台の光学センサと細隙灯の光源に接続された電源との接続構造：
次に、顔固定台の光学センサと細隙灯の光源に接続された電源との接続構造について、図４に示す回路を例に説明する。
【００２９】
図４に示す回路は、電源ユニット３１６と、細隙灯の光源３１２と、反射型光学センサ３０２と、常開接点を有するリレー３０６と、を備えている。
【００３０】
電源ユニット３１６は、電源３０４と、調光基板３１８と、パイロットランプ３２０と、コンセント３２２を備えている。電源３０４は交流電流を直流電流に変換するスイッチング電源であり、調光基板３１８は光源３１２の明るさを調整する基板であり、パイロットランプ３２０は電源３０４がオン状態であることを示すランプである。リレー３０６はコイル３１４（電磁石）と、固定接点３０８と、可動接点３１０とを備えている。
【００３１】
図４に示す回路においては、顔固定台の反射型光学センサ３０２と細隙灯の光源３１２に接続された電源３０４とが、常開接点を有するリレー３０６を経由して接続されている。常開接点を有するリレー３０６は、通常時は固定接点３０８と可動接点３１０が非接触状態にあり、電源３０４と光源３１２を繋ぐ回路が切断されている。従って、光源３１２に電流は流れず、光源３１２は消灯された状態にある。一方、反射型光学センサ３０２が眼科患者の顔を感知して電気信号（直流電流）が出力されると、リレー３０６のコイル３１４が励磁され、可動接点３１０が固定接点３０８に接触し、電源３０４と光源３１２を繋ぐ回路が接続される。これにより、光源３１２が点灯する。
【００３２】
このように、本考案に係る細隙灯顕微鏡によれば、光学センサが眼科患者の顔を感知した際には光源が点灯し、眼科患者の顔を感知しない状態では光源を消灯させることができる。従って、細隙灯の光源の点灯、消灯の操作を簡便に行うことができ、観察者の操作負担を軽減することができる。図４は反射型光学センサ３０２を備えた細隙灯顕微鏡の例であるが、透過型光学センサを備えた細隙灯顕微鏡においても、これに準じた構成を採用することにより、同様の効果を得ることができる。
【００３３】
なお、図４に示す回路においては、更に、反射型光学センサ３０２に常閉接点を有するリレー３２４が接続されている。常閉接点を有するリレー３２４は、通常時は固定接点３２８と可動接点３３０が接触状態にあり、リレー３２４に繋がる回路は接続されている。一方、反射型光学センサ３０２が眼科患者の顔を感知して電気信号（直流電流）が出力されると、リレー３２４のコイル３２６が励磁され、可動接点３３０が固定接点３２８と非接触の状態となり、リレー３２４に繋がる回路は切断される。
【００３４】
リレー３２４は、例えばスライディングテーブルの動作制御に使用することができる。スライディングテーブルは電動で水平方向にスライドする診察用のテーブルである。例えば図５に示すように、細隙灯４００、双眼実体顕微鏡４０２および顔固定台４０４を備えた細隙灯顕微鏡をスライディングテーブル４０６の上に載せて使用する。スライディングテーブル４０６を使用すると、検査時には細隙灯顕微鏡を眼科患者の前にセットし、問診時には細隙灯顕微鏡を眼科患者の前から移動させ、眼科患者と観察者（眼科医など）が対面して問診を行うことが可能となる。
【００３５】
スライディングテーブル４０６のスライド動作はＩＮボタン４０８を押すことによって行われる。しかし、眼科患者４１０が顎台４１２に顎を載せている際に（即ち、眼科患者４１０の顔が２本の支柱４１４，４１６の間に位置している際に）、誤ってＩＮボタン４０８を押してしまうと、図中矢印方向にスライディングテーブル４０６がスライドする。そうすると、眼科患者４１０の顔が顔固定台４０４の支柱４１６に衝突する事故が起こるおそれがある。
【００３６】
図４に示す回路のように、常閉接点を有するリレー３２４を備えていると、顔固定台の反射型光学センサ３０２とスライディングテーブルのＩＮボタンに接続された電源とを、常閉接点を有するリレー３２４を経由して接続することができる。常閉接点を有するリレー３２４は、通常時は固定接点３２８と可動接点３３０が接触状態にあり、電源とスライディングテーブルのＩＮボタンを繋ぐ回路が接続されている。従って、スライディングテーブルのスライド動作を行うことができる。一方、反射型光学センサ３０２が眼科患者の顔を感知して電気信号（直流電流）が出力されると、リレー３２４のコイル３２６が励磁され、可動接点３３０が固定接点３２８と非接触の状態となり、電源とスライディングテーブルのＩＮボタンを繋ぐ回路が切断される。これにより、スライディングテーブルはＩＮボタンを押してもスライド動作をしなくなる。従って、図５に示すような眼科患者４１０の顔が顔固定台４０４の支柱４１６に衝突する事故を防止することができる。
【００３７】
［３］細隙灯、双眼実体顕微鏡：
図１に示すように細隙灯顕微鏡１００は眼科患者の被検眼にスリット光を照射する細隙灯１１０と、前記被検眼からの反射光を観察する双眼実体顕微鏡と、を備える。
【００３８】
［３−１］細隙灯：
細隙灯は眼科患者の被検眼にスリット光を照射する機能を有する。そして、細隙灯は、光源と、前記光源に接続された電源と、前記光源から照射された光線をスリット光に変換するスリットが配置されたスリット部と、を有している。
【００３９】
細隙灯としては医療用途、眼科用途で用いられる細隙灯を好適に用いることができる。細隙灯の具体的な構成については特に限定されないが、図６に示すような構成を採用することができる。
【００４０】
細隙灯１１０は、光源１、集光部２、スリット部３、照明絞り部４、フィルタ部５、投影部６及び反射部７から構成されている。前記細隙灯によれば、眼科患者の眼球（被検眼１０）に光源１からの光線（入射光Ｌ１）を照射し、被検眼１０の観察部位（眼底など）から反射された反射光Ｌ２によって被検眼１０の瞳孔を照明することができる。
【００４１】
光源１は光線を照射する機能を有する。光源１としては、例えばＬＥＤ、ハロゲンランプなどを用いることができる。光源１は図示されない調光ノブにより光源の照度調整が可能なように構成されている。また、光源１は図示されないランプハウスカバーの内部に収納されている。
【００４２】
集光部２は、光源部１から照射された光線（入射光Ｌ１）を集光する機能を有する。集光部２は、第１のコンデンサレンズ２１と第２のコンデンサレンズ２２から構成されている。第１のコンデンサレンズ２１、第２のコンデンサレンズ２２としては、従来公知のコンデンサレンズなどを用いることができる。
【００４３】
スリット部３は、入射光路（光路Ｐ１）において入射光Ｌ１の幅を変更し、所定の幅のスリット光に変換する機能を有する。スリット部３としては、２枚の刃形状の板が刃先部同士を対向させるように配置され、前記板が相互に接近・退行可能に構成され、２つの刃先部の間に所定の幅のスリットが形成されるように構成されたものを用いることができる。
【００４４】
照明絞り部４は、入射光Ｌ１の光量を調整する機能を有する。照明絞り部４としては、例えば光量調整ターレット円板などを用いることができる。光量調整ターレット円板は、円周方向に沿って、孔径の異なる複数の円形孔や孔の幅が漸減する長孔などが刳り抜き形成された円板であり、円板を回転させて円形孔や長孔を適宜選択し、切り替えることにより、入射光の光量を調整することができるものである。この光量調整ターレット円板には、前記円形孔などに加えて、後述するフィルタ部５で使用するような各種フィルタが配置されていてもよい。
【００４５】
フィルタ部５は、所定の波長の入射光を透過させ、または所定の波長の入射光をカットする機能を有する。フィルタ部５としては、例えばフィルタ切替ターレット円板などを用いることができる。フィルタ切替ターレット円板は円周方向に沿って、複数のフィルタが配置された円板であり、円板を回転させてフィルタの種類を適宜選択し、切り替えることにより、所定の波長の入射光を透過させ、または所定の波長の入射光をカットするものである。フィルタ部５を構成するフィルタは特に限定されないが、例えばコバルトフィルタ、エキサイタフィルタ、防熱フィルタ、レッドフリーフィルタ、電球色フィルタ等を用いることができる。
【００４６】
投影部６は、入射光Ｌ１を被検眼１０に投影する機能を有する。投影部６は第１の投影レンズ６１と第２の投影レンズ６２から構成されている。第１の投影レンズ６１、第２の投影レンズ６２としては、従来公知の投影レンズなどを用いることができる。
【００４７】
反射部７は、入射光Ｌ１を被検眼１０の方向に反射させる機能を有する。被検眼１０の観察部位（眼底など）から反射された反射光Ｌ２は反射光路（光路Ｐ２）を経由して観察者２０に到達する。この際、反射光Ｌ２は一定の内向角を持った左右２つの光路Ｐ２を経由し、反射部７を透過せず反射部７の両脇を通過する。反射部７は反射ミラー７１から構成されている。反射ミラー７１としては、鏡、プリズムミラーなどを用いることができる。なお、図６においては、実際には左右２つの光路Ｐ２の各々を示すべきところ、表現の便宜上、左右２つの光路Ｐ２（反射光Ｌ２）の一方のみを示している。
【００４８】
［３−２］双眼実体顕微鏡：
双眼実体顕微鏡は双眼の接眼部を有し、前記双眼の接眼部に対応する２つの光路の各々に、対物レンズと、変倍光学系と、接眼レンズと、を有する。
【００４９】
双眼実体顕微鏡としては医療用途、眼科用途で用いられる双眼実体顕微鏡を好適に用いることができる。双眼実体顕微鏡の具体的な構成については特に限定されないが、図６に示すような構成を採用することができる。
【００５０】
図６に示すように、双眼実体顕微鏡１１２は、反射光導入部８および接眼部９から構成されている。前記双眼実体顕微鏡によれば、観察者２０が接眼部９において被検眼１０の観察部位（眼底など）から反射された反射光Ｌ２を観察することができる。なお、図６においては、実際には左右２系統の反射光導入部８および接眼部９の各々を示すべきところ、表現の便宜上、左右２系統の反射光導入部８および接眼部９の一方のみを示している。
【００５１】
反射光導入部８は、反射光Ｌ２を接眼部９に導入する機能を有する。反射光導入部８は、対物レンズ８１、変倍光学系８２および第３の投影レンズ８３から構成されている。対物レンズ８１、変倍光学系８２および第３の投影レンズ８３としては、従来公知のものを用いることができる。
【００５２】
接眼部９は、観察者２０の正確かつ確実な観察を可能とする機能を有する。接眼部９は、例えば、第１の正立プリズム９１、第２の正立プリズム９２及び接眼レンズ９３から構成される。第１の正立プリズム９１、第２の正立プリズム９２及び接眼レンズ９３としては、従来公知のものを用いることができる。
【産業上の利用可能性】
【００５３】
本考案の細隙灯顕微鏡は、例えば病院における眼科検査などに好適に利用することができる。
【符号の説明】
【００５４】
１  光源
２  集光部
３  スリット部
４  照明絞り部
５  フィルタ部
６  投影部
７  反射部
８  反射光導入部
９  接眼部
１０  被検眼
２０  観察者
２１  第１のコンデンサレンズ
２２  第２のコンデンサレンズ
６１  第１の投影レンズ
６２  第２の投影レンズ
７１  反射ミラー
８１  対物レンズ
８２  変倍光学系
８３  第３の投影レンズ
９１  第１の正立プリズム
９２  第２の正立プリズム
９３  接眼レンズ
１００  細隙灯顕微鏡
１１０  細隙灯
１１２  双眼実体顕微鏡
２００  顔固定台
２０２  顎台
２０４  額当て
２０８  支柱（第１の支柱）
２１０  支柱（第２の支柱）
２１２  投光部
２１４  受光部
２１６  反射型光学センサ
２１８  台座
３０２  反射型光学センサ
３０４  電源
３０６  リレー（常開接点を有するリレー）
３０８  固定接点
３１０  可動接点
３１２  光源
３１４  コイル
３１６  電源ユニット
３１８  調光基板
３２０  パイロットランプ
３２２  コンセント
３２４  リレー（常閉接点を有するリレー）
３２６  コイル
３２８  固定接点
３３０  可動接点
４００  細隙灯
４０２  双眼実体顕微鏡
４０４  顔固定台
４０６  スライディングテーブル
４０８  ＩＮボタン
４１０  眼科患者
４１２  顎台
４１４  支柱
４１６  支柱
Ｌ１    入射光
Ｌ２    反射光
Ｐ１    光路（入射光路）
Ｐ２    光路（反射光路）
【図１】
0003204241.tif 000003
【図２】
0003204241.tif 000004
【図３】
0003204241.tif 000005
【図４】
0003204241.tif 000006
【図５】
0003204241.tif 000007
【図６】
0003204241.tif 000008